(57)【要約】      （修正有）【課題】部品点数が少なく、スムーズな動きが確保される片側シーソつまみの構造を提供する。【解決手段】各片側シーソつまみ１、１の中心軸側に設けた支点突起１ｂ、１ｂを採光板２の山形形状部２ａと当接させ、各片側シーソつまみ１、１の前記中心軸と反対側に設けたボス１ｃ、１ｃをスイッチ３と当接させ、各片側シーソつまみ１、１の支点突起１ｂ、１ｂおよびボス１ｃ、１ｃの反対側に設けた凸部１ａ、１ａをパネル５の窓５ａから突出させ、凸部１ａ、１ａを押すことにより、片側シーソつまみ１、１を支点突起１ｂ、１ｂの採光板２との当接部を支点として回動させてボス１ｃ、１ｃによりスイッチ３を作動させると共に、前記中心軸に配置した光源６より放射する光を採光板２を介して片側シーソつまみ１、１に導き凸部１ａ、１ａを背面より照明する。【選択図】図１
2005203245.tif 000002
【特許請求の範囲】
【請求項１】
プリント基板の上にスイッチおよび採光板を配置し、前記採光板の上に片側シーソつまみを配置する片側シーソつまみの構造において、前記採光板に中心軸に向けて高くなる山形形状部を形成し、前記片側シーソつまみを前記中心軸の周囲に放射状に複数個配置し、前記各片側シーソつまみの前記中心軸側に設けた支点突起を前記採光板の山形形状部と当接させ、前記各片側シーソつまみの前記中心軸と反対側に設けたボスを前記スイッチと当接させ、前記各片側シーソつまみの前記支点突起およびボスの反対側に設けた凸部をパネルの窓から突出させ、前記凸部を押すことにより、前記片側シーソつまみを前記支点突起の前記採光板との当接部を支点として回動させて前記ボスによりスイッチを作動させると共に、前記中心軸に配置した光源より放射する光を前記採光板を介して前記片側シーソつまみに導き前記凸部を背面より照明するように構成した片側シーソつまみの構造。
【請求項２】
前記スイッチをゴムスイッチとした請求項１の片側シーソつまみの構造。
【請求項３】
前記各片側シーソつまみを前記中心軸を中心として２個点対称に配置した請求項１または２の片側シーソつまみの構造。
【請求項４】
前記各片側シーソつまみを前記中心軸を中心として４個点対称に配置した請求項１または２の片側シーソつまみの構造。
【発明の詳細な説明】
【技術分野】
【０００１】
この発明は電子機器に係わり、特に、その片側シーソつまみの構造に関する。
【背景技術】
【０００２】
従来のゴムスイッチ等の弾力に抗して押し込みゴムスイッチ等を作動させると共に、背後から光源により照明され、つまみ全体を光らせるいわゆるクリアつまみの例を図３により説明する。図に示すプリント基板４の上にゴムスイッチ３がホルダ９に押さえられるようにして重ねられている。ゴムスイッチ３はシート状のゴム板からなり、凸部３ａの裏面部に凹部３ｂが形成されており、凹部３ｂにはプリント基板４に形成された接点パターンと対向する部分に導体膜が被覆されている。
【０００３】
つまみ８、８は凸部８ａがパネル５の窓５ａから突出し、凸部８ａの背後に延びるボス８ｂ、８ｂがホルダ９の穴を挿通してゴムスイッチ３の凸部３ａ、３ａと当接する状態に配置されている。プリント基板４上のゴムスイッチ３の穴の位置に設けられたＬＥＤ６、６から発射された光はホルダ９の穴を通り夫々のつまみ８、８を背後から照明して光らせる。つまみ８の凸部８ａを押すとボス８ｂ、８ｂが凸部３ａ、３ａを押さえて凹部３ｂ、３ｂに被覆されている導体膜がプリント基板４に形成された接点パターンを導通させる。  上記したつまみの構造によると、つまみ８が上下方向に直線移動するので、移動途中に傾いたりして、必ずしもスムーズな動きが得られないという問題があった。また、つまみを照明するための光源となるＬＥＤがつまみの数だけ必要であり、部品点数が多くなるという問題があった。
【０００４】
特開平７−２３０７３９号公報には、１つの光源からの光を導光部材により複数のプッシュボタンの背後に導き、プッシュボタンを照明する操作スイッチが記載されている。しかしながら特開平７−２３０７３９号公報に提案された操作スイッチはプッシュボタンが上下方向に直線移動するのでスムーズな動きが得られない恐れがある。また、プッシュボタンにより動かされる部材がシーソ板、コイルスプリング、アクチュエータ等と多く、部品点数および組立て工数が増大するという問題があった。
【特許文献１】特開平７−２３０７３９号公報、段落０００３、０００８、図５、図３
【発明の開示】
【発明が解決しようとする課題】
【０００５】
この発明は上記した点に鑑みてなされたものであって、その目的とするところは、部品点数が少なく、スムーズな動きが確保される片側シーソつまみの構造を提供することにある。
【課題を解決するための手段】
【０００６】
この発明の片側シーソつまみの構造は、プリント基板の上にスイッチおよび採光板を配置し、前記採光板の上に片側シーソつまみを配置する片側シーソつまみの構造において、前記採光板に中心軸に向けて高くなる山形形状部を形成し、前記片側シーソつまみを前記中心軸の周囲に放射状に複数個配置し、前記各片側シーソつまみの前記中心軸側に設けた支点突起を前記採光板の山形形状部と当接させ、前記各片側シーソつまみの前記中心軸と反対側に設けたボスを前記スイッチと当接させ、前記各片側シーソつまみの前記支点突起およびボスの反対側に設けた凸部をパネルの窓から突出させ、前記凸部を押すことにより、前記片側シーソつまみを前記支点突起の前記採光板との当接部を支点として回動させて前記ボスによりスイッチを作動させると共に、前記中心軸に配置した光源より放射する光を前記採光板を介して前記片側シーソつまみに導き前記凸部を背面より照明するように構成したものである。
【０００７】
また、前記片側シーソつまみの構造において、前記スイッチをゴムスイッチとしたものである。
【０００８】
また、前記各片側シーソつまみの構造において、前記各片側シーソつまみを前記中心軸を中心として２個点対称に配置したものである。
【０００９】
また、同各片側シーソつまみの構造において、前記各片側シーソつまみを前記中心軸を中心として４個点対称に配置したものである。
【発明の効果】
【００１０】
この発明の片側シーソつまみの構造によれば、１つの光源で複数のつまみを照明できるので部品点数および組立工数が削減される。
【発明を実施するための最良の形態】
【００１１】
以下この発明を実施するための最良の形態を実施例に即して説明する。
【実施例１】
【００１２】
図１（ａ）はこの発明の実施例１である片側シーソつまみの構造を示す正面図であり、図１（ｂ）は図１（ａ）におけるＡ−Ａ断面図である。図に示すプリント基板４の上にゴムスイッチ３が採光板２に押さえられるようにして重ねられている。ゴムスイッチ３はシート状のゴム板からなり、凸部３ａの裏面部に凹部３ｂが形成されており、凹部３ｂにはプリント基板４に形成された接点パターンと対向する部分に導体膜が被覆されている。
【００１３】
採光板２には中心軸上に凹み２ｂが設けられ、この凹み２ｂ内に配置されるようにＬＥＤ６がプリント基板４に固定されている。採光板２のプリント基板４と反対側の面には中心軸に向けて高くなる山形形状部２ａが形成されている。
【００１４】
片側シーソつまみ１、１はその凸部１ａ、１ａがパネル５の窓５ａ、５ａから突出し、さらに、凸部１ａ、１ａの背後に延びる支点突起１ｂ、１ｂが山形形状部２ａと当接し、ボス１ｃ、１ｃが採光板２の穴を挿通してゴムスイッチ３の凸部３ａ、３ａと当接する状態に配置されている。
【００１５】
プリント基板４上の採光板２の凹み２ｂの背後でゴムスイッチ３の穴の位置に設けられたＬＥＤ６から発射された光は採光板２に導かれ夫々の片側シーソつまみ１、１を背後から照明して光らせる。片側シーソつまみ１の凸部１ａを押すと片側シーソつまみ１は支点突起１ｂの採光板２との当接部を支点として回動しボス１ｃ、１ｃが凸部３ａ、３ａを押さえて凹部３ｂ、３ｂに被覆されている導体膜がプリント基板４に形成された接点パターンを導通させる。
【００１６】
このように、片側シーソつまみ１は支点突起１ｂの当接部を支点として回動するので動きが安定してスムーズとなる。また、採光板２は片側シーソつまみ１の支点突起１ｂの支持部および複数のつまみに光を導く部材として用いられ、さらに、１つのＬＥＤ６により複数の片側シーソつまみ１、１を照明できるので、部品点数が少なくなり、組立工数が削減される。
【実施例２】
【００１７】
図２（ａ）はこの発明の実施例２である片側シーソつまみの構造を示す正面図、図２（ｂ）は図２（ａ）におけるＢ−Ｂ断面図である。図に示すプリント基板４の上にゴムスイッチ３が採光板２に押さえられるようにして重ねられている。ゴムスイッチ３はシート状のゴム板からなり、凸部３ａの裏面部に凹部３ｂが形成されており、凹部３ｂにはプリント基板４に形成された接点パターンと対向する部分に導体膜が被覆されている。凸部３ａおよび凹部３ｂは同一円周上に４個等間隔に配置されている。
【００１８】
採光板２には中心軸上に凹み２ｂが設けられ、この凹み２ｂ内に配置されるようにＬＥＤ６がプリント基板４に固定されている。採光板２のプリント基板４と反対側の面には中心軸に向けて高くなる山形形状部２ａが形成されている。
【００１９】
片側シーソつまみ７、７…はその凸部７ａ、７ａ…がパネル５の窓５ａ、５ａ…から突出し、さらに、凸部７ａ、７ａ…の背後に延びる支点突起７ｂ、７ｂが山形形状部２ａと当接し、ボス７ｃ、７ｃ…が採光板２の穴を挿通してゴムスイッチ３の凸部３ａ、３ａ…と当接する状態に配置されている。すなわち、片側シーソつまみ７、７…は採光板２の中心軸を中心として放射状に４個等間隔に配置されている。
【００２０】
プリント基板４上の採光板２の凹み２ｂの背後でゴムスイッチ３の穴の位置に設けられたＬＥＤ６から発射された光は採光板２に導かれ夫々の片側シーソつまみ７、７…を背後から照明して光らせる。この例では１個の光源により４個の片側シーソつまみ７、７…が照明される。
【００２１】
片側シーソつまみ７の凸部７ａを押すと、片側シーソつまみ７は支点突起７ｂの採光板２との当接部を支点として回動しボス７ｃ、７ｃ…が凸部３ａ、３ａを押さえて凹部３ｂ、３ｂに被覆されている導体膜がプリント基板４に形成された接点パターンを導通させる。
【００２２】
このように、片側シーソつまみ７は支点突起７ｂの当接部を支点として回動するので動きが安定してスムーズとなる。また、採光板２は４個の片側シーソつまみ７の支点突起７ｂの支持部および複数のつまみに光を導く部材として用いられ、さらに、１つのＬＥＤ６により複数の４個の片側シーソつまみ７、７を照明できるので、部品点数が少なくなり、組立工数が削減される。この例では４個の片側シーソつまみが９０°間隔に配置されるので、カーソル等を４方向に移動させるために使用すると便利である。
【図面の簡単な説明】
【００２３】
【図１】図１（ａ）はこの発明の実施例１である片側シーソつまみの構造を示す正面図、図１（ｂ）は図１（ａ）におけるＡ−Ａ断面図である。
【図２】図２（ａ）はこの発明の実施例２である片側シーソつまみの構造を示す正面図、図２（ｂ）は図２（ａ）におけるＢ−Ｂ断面図である。
【図３】従来のつまみの構造の例を示す断面図である。
【符号の説明】
【００２４】
１  片側シーソつまみ、１ａ  凸部、１ｂ  支点突起、１ｃ  ボス
２  採光板、２ａ  山形形状部、２ｂ  凹み
３  ゴムスイッチ、３ａ  凸部、３ｂ  凹部
４  プリント基板
５  パネル、５ａ  窓
６  ＬＥＤ
７  片側シーソつまみ、７ａ  凸部、７ｂ  支点突起、７ｃ  ボス
８  つまみ、８ａ  凸部、８ｂ  ボス
９  ホルダ
【図１】
2005203245.tif 000003
【図２】
2005203245.tif 000004
【図３】
2005203245.tif 000005